(57)【要約】【課題】  十字ボタンとセンターボタンから突出した押下部を保護及び支持するラバーヒンジを設けた携帯型音声記録再生装置を提供することにある。【解決手段】  携帯型音声記録再生装置において、上面カバー２００ａと、上面カバー２００ａに配置され、上面カバー２００ａに対してその内部方向へ移動可能なセンターボタン３１と、このセンターボタン３１とその外側に円周方向に配列された複数のスイッチよりなる、内部方向へ移動可能な十字ボタン３０と、センターボタン３１又は十字ボタン３０が押下されたことを検出するスイッチ３３と、センターボタン３１及び十字ボタン３０とスイッチ３３との間に配置されたラバーヒンジ３２とを具備することを特徴とする。【選択図】  図４
2005108725.tif 000002
【特許請求の範囲】
【請求項１】
記録媒体に音声をデジタル化して音声データとして記録し、または前記記録媒体に記録された前記音声データをアナログ化して再生する携帯型音声記録再生装置において、
前記装置本体の上面カバーと、
前記上面カバーに配置され、前記上面カバーに対してその内部方向へ移動可能な第１のスイッチボタンと、
この第１のスイッチボタンとその外側に円周方向に配列された複数のスイッチよりなる、前記上面カバー内部方向へ移動可能な第２のスイッチボタンと、
前記第１のスイッチボタンまたは第２のスイッチボタンが押下されたことを検出するスイッチと、
前記第１のスイッチボタン及び第２のスイッチボタンと前記スイッチとの間に配置され、前記第１のスイッチボタンまたは第２のスイッチボタンの押下によって前記スイッチと接触するラバーヒンジとを具備することを特徴とする携帯型音声記録再生装置。
【請求項２】
記録媒体に音声をデジタル化して音声データとして記録し、または前記記録媒体に記録された前記音声データをアナログ化して再生する携帯型音声記録再生装置において、
前記装置本体の上面カバーと、
前記上面カバーに配置され、前記上面カバーに対してその内部方向へ移動可能な第１のスイッチボタンと、
この第１のスイッチボタンに設けられ、前記内部方向に延出された第１の押下部と、
前記第１のスイッチボタンとその外側に円周方向に配列された複数のスイッチよりなる、前記上面カバー内部方向へ移動可能な第２のスイッチボタンと、
この第２のスイッチボタンに設けられ、前記内部方向に延出された第２の押下部と、
前記第１の押下部が挿入される第１の突起部と前記第２の押下部が挿入される第２の突起部とを有するラバーヒンジと、
前記装置本体内に設けられ、前記第２の突起部と接触し、前記第１の突起部とは接触しないスイッチとを具備することを特徴とする携帯型音声記録再生装置。
【請求項３】
前記第１の突起部の長さは前記第２の突起部よりも短いことを特徴とする請求項２記載の携帯型音声記録再生装置。
【請求項４】
前記ラバーヒンジは、複数の前記第１の突起部を有し、これら前記第１の突起部との間に、前記第１の突起部及び第２の突起部を支持する支持部とを具備することを特徴とする請求項２記載の携帯型音声記録再生装置。
【発明の詳細な説明】
【技術分野】
【０００１】
この発明は、音声記録再生装置に関し、特に、記録媒体に音声をデジタル化して記録し、また記録媒体に記録された音声をアナログ化して再生する携帯型音声記録再生装置に関する。
【背景技術】
【０００２】
近年、音声をデジタルデータに変換し、書き換え可能な記録媒体に記録し、この記録媒体に記録された音声をアナログ化して再生する携帯型音声記録再生装置が実用化されている。このような携帯型音声記録再生装置では、一つの操作体で複数のスイッチ接点を動作させる多様な機能のスイッチ、すなわち、多方向操作スイッチが用いられている。この多方向操作スイッチは、同一のキートップ（押しボタン）の押圧位置に応じて、対応する１つのスイッチを、又は複数のスイッチを同時に、作動できるように構成される。
【０００３】
具体的には、スイッチハウジングの頂部にハウジング内部方向へ移動可能に配置されたキートップのほぼ中心部に開口を形成し、この開口内にキートップに対してハウジング内部方向へ移動可能に押しボタンを配置し、この押しボタンの押圧による移動によって作動されるスイッチをキートップの裏面のほぼ中心部に配置し、キートップの周辺操作部の任意の１つを押圧することによるキートップのハウジング内部方向への傾斜した移動時には上記押しボタンはキートップとともに移動し、その対応する中心位置のスイッチは作動されず、上記押しボタンを押圧したときにのみその対応する中心位置のスイッチが作動されるようにしたものである（例えば、特許文献１）。
【特許文献１】実開平７−４１９２８号公報
【発明の開示】
【発明が解決しようとする課題】
【０００４】
上記した特許文献１の技術は、キートップの周辺操作部の任意の１つを押圧することによるこのキートップのハウジング内部方向への傾斜した移動時には上記押しボタンはキートップとともに移動するので、その対応する中心位置のスイッチの作動子は僅かに押圧されるだけであり、よって、このスイッチは作動されない。また上記押しボタンを押圧したときにはキートップは全く移動しないから、その対応する中心位置のスイッチのみが作動される。
【０００５】
しかしながら、この特許文献１はキートップの押圧体及び押しボタンの押圧部が作動子を介してスイッチに接触する構造となっている。これら押圧体や押圧部はメッキ等の金属性材料でできているため、例えばキートップや押しボタンに溜まった静電気がスイッチと接触した時にスイッチ側に電流が流れスイッチが破壊されてしまうという問題があった。
【０００６】
また、キートップの押圧体及び押しボタンの押圧部が作動子に直接接触するため、例えば作動子が硬い材質であった場合、押圧体や押圧部が損傷してしまうという問題があった。
【０００７】
そこで、本発明は上記の問題を解決するために成されたものであり、十字ボタンとセンターボタンから突出した押下部を保護及び支持するラバーヒンジを、十字ボタン及びセンターボタンとスイッチとの間に設けた携帯型音声記録再生装置を提供することにある。
【課題を解決するための手段】
【０００８】
上記した課題を解決するために、この発明は、記録媒体に音声をデジタル化して音声データとして記録し、または前記記録媒体に記録された前記音声データをアナログ化して再生する携帯型音声記録再生装置において、前記装置本体の上面カバーと、前記上面カバーに配置され、前記上面カバーに対してその内部方向へ移動可能な第１のスイッチボタンと、この第１のスイッチボタンとその外側に円周方向に配列された複数のスイッチよりなる、前記上面カバー内部方向へ移動可能な第２のスイッチボタンと、前記第１のスイッチボタンまたは第２のスイッチボタンが押下されたことを検出するスイッチと、前記第１のスイッチボタン及び第２のスイッチボタンと前記スイッチとの間に配置され、前記第１のスイッチボタンまたは第２のスイッチボタンの押下によって前記スイッチと接触するラバーヒンジとを具備することを特徴とする。
【発明の効果】
【０００９】
この発明によれば、十字ボタンとセンターボタンの押下部を保護するとともに十字ボタンとセンターボタンを支持するラバーヒンジを、十字ボタン及びセンターボタンとスイッチとの間に設けたことで、例えば、十字ボタンに静電気が溜まったとしても接触時にスイッチに電流が流れる心配がなく、スイッチの破損を防止することができる。
【００１０】
また、十字ボタンやセンターボタンの押下部が直接スイッチと接触することがないため、スイッチの破損を防止することができる。
【００１１】
さらに、十字ボタンやセンターボタンの押下部の間にラバーヒンジの支持部を設けたことで、十字ボタンの押下部とセンターボタンの押下部の間を押されても、それぞれのスイッチが押されてしまう２重押しを防止することができる。また、センターボタンの押下部を覆った突起部の長さを十字ボタンの押下部を覆った突起部の長さよりも短くすることで、十字ボタンが押されたときでもセンターボタン（の突起部）はスイッチと接触しないため、２重押しを防止することができる。
【発明を実施するための最良の形態】
【００１２】
以下、この発明の実施例について、図面を参照しながら詳細に説明する。
【００１３】
図１は、この発明の携帯型音声記録再生装置の実施例について説明するための装置本体の斜視図である。
【００１４】
図１に示すように、携帯型音声記録再生装置の外装体となる装置本体２００の正面部には、液晶表示部であるＬＣＤ表示部３と、十字ボタン３０と、センターボタン３１が設けられている。このＬＣＤ表示部３には一連の音声記録データであるファイルの順次の番号であるファイル番号、通常操作状態、録音内容、時間等が表示される。十字ボタン３０は記録された音声記録データのファイル検索や記録再生を停止させるためのボタンであり、センターボタン３１は記録した音声記録データの再生やファイル決定するためのボタンである。
【００１５】
また、装置本体２００の側面部には各種操作ボタンである、録音スイッチ１１、インデックススイッチ１２、メニュースイッチ１３、音量スイッチ１４、消去スイッチ１５、マイク感度スイッチ１６、ホールドスイッチ１７、外部出力端子１８、外部入力端子１９、内蔵マイク５１が設けられている。
【００１６】
録音スイッチ１１は、録音する際にスイッチをＯＮする。図中、右方向へスライドさせて録音スイッチをＯＮさせる。インデックススイッチ１２は、記録したファイルに対して例えば重要であると判断したものについて、そのファイルにインデックスを付すためのものである。メニュースイッチ１３は、各種モード（再生モード、録画モード、停止モード
等）の設定をするときに操作する。音量スイッチ１４は、音量のＵＰ／ＤＯＷＮスイッチであり、イヤホンやスピーカ等を介して聞くときに音量操作を行う。消去スイッチ１５は、操作を停止したいときに押すと停止する。マイク感度スイッチ１６は、内蔵マイク５１の感度を調整する。ホールドスイッチ１７は、現状の状態を保持したいときにＯＮする。外部出力端子１８は通常ヘッドホンを接続するための端子であり、録音した音声を出力する。外部入力端子１９は、外部マイクやＴＶ・ラジオ等を接続して録音するために使用する。内蔵マイク５１は、周辺の音を録音するために使用する。
【００１７】
図２は、この発明の携帯型音声記録再生装置を表側から見た分解斜視図であり、図３はこの携帯型音声記録再生装置を裏側から見た分解斜視図である。
【００１８】
図２及び図３に示すように、装置本体２００の上面カバー２００ａには十字ボタン配置穴３０ｂと、後述するラバーヒンジ３２を位置決めするための位置決め部３９が設けられ、下面カバー２００ｂにはスピーカ１０３と、パソコン接続端子２２を覆ったパソコン接続端子カバー２２ａが設けられている。また、装置本体２００の内部には、十字ボタン３０、センターボタン３１、ラバーヒンジ３２、スイッチ３３、基板４０、電池２１が設けられている。
【００１９】
図３を見てみると、十字ボタン３０はほぼ中心部に開口３０ａが形成され、この開口３０ａの周縁には所定間隔で突起状の十字ボタン押下部３５ａがＰ方向に延出した状態で４つ形成されている。これら十字ボタン押下部３５ａは後述するラバーヒンジ３２に形成された突起部３６ａにそれぞれ挿入される。上記開口３０ａ内にはセンターボタン３１が配置され、センターボタン３１の中心部にはセンターボタン押下部３５ｂがＰ方向に延出した状態で形成されている。このセンターボタン押下部３５ｂはラバーヒンジ３２の中心位置にある突起部３６ｂに挿入される。
【００２０】
ラバーヒンジ３２の円周位置には略同一間隔で位置決め穴３９が３箇所形成され、上述した上面カバー２００ａに形成された位置決め部３９が挿入されるようになっている。また、ラバーヒンジの中央周辺に形成された４つの突起部３６ａ以外に、支持部３７が設けられている。この支持部３７は、４つの突起部３６ａの間にそれぞれ４箇所設けられ、例えば、十字ボタン押下部３５ａと十字ボタン押下部３５ａの間を押されても、それぞれのスイッチが押されてしまう２重押しを防止している。また、この支持部３７は十字ボタン３０やセンターボタン３１を支えるとともに、必要な空間（基板４０のと間の空間）を最小限に抑えることができる。
【００２１】
上記この考案の構成によれば、上面カバー２００ａの内部方向（図３のＱ方向）にある十字ボタン配置穴３０ｂに十字ボタン３０の周縁部７１が係止された状態で配置され、次にセンターボタン３１の周縁部７０が十字ボタン３０の中心部にある開口３０ａに係止された状態で配置される。そのとき、十字ボタン押下部３５ａ及びセンターボタン押下部３５ｂは図３のＰ方向を向いている。そして、十字ボタン押下部３５ａはラバーヒンジ３２の突起部３６ａに、センターボタン押下部３５ｂはラバーヒンジ３２の突起部３６ｂにそれぞれ挿入される。挿入後、ラバーヒンジ３２の円周位置にある位置決め穴３９が上面カバー２００ａの位置決め部３９に挿入され位置決めが行われ、上面カバー２００ａと下面カバー２００ｂを組合わせることで、十字ボタン３０の押下部３５ａを覆った突起部３６ａが基板４０上に設けられたスイッチ３３と接触するようになる。なお、センターボタン３１の押下部３５ｂを覆った突起部３６ｂはスイッチ３３と接触しない構造となっている。
【００２２】
図４は、図１に示した携帯型音声記録再生装置のＡ−Ａ線における断面図である。
【００２３】
図４に示すように、十字ボタン３０やセンターボタン３１の押下部３５ａ、３６ｂはラバーヒンジ３２の突起部３６ａ、３６ｂに覆われ、上述したようにこの突起部３６ａはスイッチ３３と軽く接触し、突起部３６ｂはスイッチ３３と接触しない状態となっている。すなわち、ラバーヒンジの突起部３６ｂは突起部３６ａよりも短く形成されている。これは、センターボタン３１の周縁部７０が十字ボタン３０の下側に配置されているため、例えば十字ボタン３０が押されたときにセンターボタン３１も一緒に押されてしまう。これを回避するために、ラバーヒンジ３２の突起部３６ｂを短く形成させておくことで、たとえ十字ボタン３０が押されても突起部３６ｂ（突起部３５ｂ）がスイッチ３３に接触しないようにし、２重押しを防止している。
【００２４】
なお、ラバーヒンジ３２の突起部３６ａがスイッチ３３に接触していても、実際にはスイッチはＯＮさない。十字ボタン３０が押され、突起部３５ａが押されたときに初めてスイッチがＯＮされる。これは、ヒンジの材質がラバーであるため、十字ボタン３０が押されスイッチ３３との間でラバーヒンジ３２が潰れたような状態になった時にスイッチがＯＮされる。
【００２５】
以上説明したように、十字ボタン３０とセンターボタン３１の押下部３５ａ、３５ｂを保護するとともに十字ボタン３０とセンターボタン３１を支持するラバーヒンジ３２を、十字ボタン３０及びセンターボタン３１とスイッチ３３との間に設けたことで、例えば、十字ボタンに静電気が溜まったとしても接触時にスイッチに電流が流れる心配がなく、スイッチの破損を防止することができる。
【００２６】
また、十字ボタン３０やセンターボタン３１の押下部がラバーヒンジ３２の突起部３６ａ、３６ｂに覆われるため直接スイッチ３３と接触することがなく、スイッチの破損を防止することができる。
【００２７】
さらに、十字ボタン３０の押下部３５ａの間にラバーヒンジ３２の支持部３７を設けたことで、十字ボタン３０の押下部３５ａと３５ａの間を押されても、それぞれのスイッチ３３が押されてしまう２重押しを防止することができる。また、センターボタン３１の押下部３５ｂを覆った突起部３６ｂの長さを十字ボタン３０の押下部３５ａを覆った突起部３６ａの長さよりも短くすることで、十字ボタン３０が押されたときでもセンターボタン３１（の突起部３５ｂ）はスイッチと接触しないため、２重押しを防止することができる。
【００２８】
次に、携帯型音声記録再生装置の電気的な構成について説明する。
【００２９】
図５は、この発明の携帯型音声記録再生装置の実施例について説明するためのブロック構成図であり、ここでは、フラッシュメモリを記録媒体とする記録再生装置を例にして説明する。
【００３０】
図５に示すように、この携帯型音声記録再生装置は、操作部１、モード遷移制御部２、ＬＣＤ表示部３、表示制御部４、音声入力部５、ＤＳＰ（digital signal processor）６、ＤＳＰ制御部７、メモリ８、メモリ制御部と、音声・音楽出力部１０、電源回路部２０、電池（バッテリー）２１、パソコン接続端子２２、ドライバ２３とを具備した構成となっている。
【００３１】
電源回路２０は、電池（バッテリー）２１からの電源電圧により所定の電圧値の電源電圧を作成して、各回路に供給する。
【００３２】
操作部１は、録音スイッチ１１と、インデックススイッチ１２と、メニュースイッチ１
３と、音量スイッチ１４と、消去スイッチ１５、マイク感度スイッチ１６、ホールドスイッチ１７とを含む各種操作スイッチとを有している。この操作部１は上記各種操作スイッチがユーザによってそれぞれオン操作されることにより、各オン信号をモード遷移制御部２に供給する。
【００３３】
モード遷移制御部２は、録音スイッチ１１と、インデックススイッチ１２と、メニュースイッチ１３と、音量スイッチ１４と、消去スイッチ１５、マイク感度スイッチ１６、ホールドスイッチ１７の各オン信号を検出することにより、それぞれ再生モード、録音モードおよび停止モード等の各モードへ移行する事を伝達する制御信号を、表示制御部４、ＤＳＰ制御部７、メモリ制御部９に出力する。
【００３４】
表示制御部４は、モード遷移制御部２の制御信号に基づいてＬＣＤ表示部３に現在のモード等の画面表示を行なわせたり、現在選択中のファイル番号やそのファイルの時間情報を表示する。
【００３５】
音声入力部５は、内蔵マイク５１、フィルタ５２及びアナログ／デジタル変換回路（以下、Ａ／Ｄ変換回路と呼ぶ）５３から構成されている。内蔵マイク５１は、音声を電気信号の音声信号に変換し、フィルタ５２に供給する。フィルタ５２は、内蔵マイク５１からのアナログ信号より低音域や高音域の不要成分を除去し、必要な帯域の信号をＡ／Ｄ変換回路５３に供給する。Ａ／Ｄ変換回路５３は、フィルタ５２からのアナログ音声信号をデジタル音声信号に変換し、ＤＳＰ６に供給する。
【００３６】
ＤＳＰ制御部７は、モード遷移制御部２の制御信号に基づいてＤＳＰ６に再生指示、停止指示等の指示を行う。ＤＳＰ６は、ＤＳＰ制御部７からの指示が記録指示の場合に、音声入力部５からのデジタル音声信号を圧縮符号化して音声データとしてメモリ８に供給する。メモリ８は、例えばフラッシュメモリのような不揮発性の半導体メモリとなっている。また、着脱可能なメモリカードタイプのものであってもよい。
【００３７】
メモリ制御部９は、モード遷移制御部２の制御信号に基づいてメモリ８に再生指示、記録指示、停止指示等の指示を行い、メモリ８にＤＳＰ６からの音声データの書き込みを行わせたり、メモリ８に記録した音声データや音楽データの読出しを行わせたりする。
【００３８】
メモリ８から読み出された音声データや音楽データは、ＤＳＰ６に供給される。ＤＳＰ６はＤＳＰ制御部７から再生指示が行われた場合、メモリ８からの音声データや音楽データに対して伸長処理を行うことによりデジタル音声信号を作成して、音声・音楽出力部１０に供給する。
【００３９】
音声・音楽出力部１０は、デジタル／アナログ変換回路（以下、Ｄ／Ａ変換回路と呼ぶ）１０１、フィルタ１０２およびヘッドホン（スピーカ）１０３から構成されている。Ｄ／Ａ変換回路１０１は、ＤＳＰ６からのデジタル音声信号をアナログ音声信号に変換し、フィルタ１０２に供給する。フィルタ１０２はＤ／Ａ変換回路１０１からのアナログ信号から低音域や高音域の不要成分を除去し、必要な帯域の音声信号をヘッドホン（スピーカ）１０３から音声出力させる。
【００４０】
パソコン接続端子２２は、メモリ制御部９にドライバ２３を介して接続され、メモリ８に記録された音声データをパソコン等の外部機器に出力させる。
【００４１】
このような構成により、本発明の携帯型音声記録再生装置では音声を記録再生している。
【００４２】
なお、本発明は、上記実施形態に限定されるものではなく、実施段階では、その要旨を逸脱しない範囲で種々に変形することが可能である。
【図面の簡単な説明】
【００４３】
【図１】この発明の携帯型音声記録再生装置の実施例について説明するための装置本体の斜視図。
【図２】この発明の携帯型音声記録再生装置を表側から見た分解斜視図。
【図３】この携帯型音声記録再生装置を裏側から見た分解斜視図。
【図４】図１に示した携帯型音声記録再生装置のＡ−Ａ線における断面図。
【図５】この発明の携帯型音声記録再生装置の実施例について説明するためのブロック構成図。
【符号の説明】
【００４４】
１  操作部
２  モード遷移制御部
３  ＬＣＤ表示部
４  表示制御部
５  音声入力部
６  ＤＳＰ
７  ＤＳＰ制御部
８  メモリ
９  メモリ制御部
１０  音声・音楽出力部
１１  録音スイッチ
１２  インデックススイッチ
１３  メニュースイッチ
１４  音量スイッチ
１５  消去スイッチ
１６  マイク感度スイッチ
１７  ホールドスイッチ
２０  電源回路
３０  十字ボタン
３０ｂ  十字ボタン配置穴
３１  センターボタン
３２  ラバーヒンジ
３３  スイッチ
３５ａ  十字ボタン押下部
３５ｂ  センターボタン押下部
３６ａ、ｂ  突起部
３７  支持部
３８  位置決め穴
３９  位置決め部
４０  基板
【図１】
2005108725.tif 000003
【図２】
2005108725.tif 000004
【図３】
2005108725.tif 000005
【図４】
2005108725.tif 000006
【図５】
2005108725.tif 000007